(57)【特許請求の範囲】
【請求項１】
ケーブルを受けるＶ字溝が前記ケーブルの配線方向に沿って形成された第１部分と、
前記第１部分と対向し、前記ケーブルの配線方向に沿って、一方から他方に向かって、前記Ｖ字溝に接近する傾斜面が形成された第２部分と、
前記配線方向の一方から他方に向かって、前記第１部分に向く面が平坦面に形成され、前記第２部分に向く面が傾斜面に形成され、前記第１部分と前記第２部分との間の空間に配置されて、前記ケーブルを前記第１部分との間で挟持する第３部分とを備えたケーブル固定装置。
【請求項２】
前記第３部分は、前記第１部分と前記第２部分との間の空間に挿入したときに、前記第１部分および前記第２部分から先端部が突出するように形成されている請求項１記載のケーブル固定装置。
【請求項３】
前記第３部分の先端には、前記第３部分を後退させる際に、前記第１部分と前記第２部分とによる開口部に引っ掛かる規制部が設けられている請求項２記載のケーブル固定装置。
【請求項４】
前記第１部分を有するケーブル受け部材と、
前記第２部分を有する案内部材と、
前記ケーブル受け部材と前記案内部材とを対向させた状態で内部に配置させた枠部材と、
前記第３部分を構成する楔部材とを備えた請求項１記載のケーブル固定装置。
【発明の詳細な説明】
【技術分野】
【０００１】
本発明は、ケーブルを他のケーブルに連結したり、ケーブルを他の部材に連結したりするために、ケーブルを固定するケーブル固定装置に関するものである。
【背景技術】
【０００２】
ケーブルを他のケーブルに連結したり、ケーブルを他の部材に連結したりするために、ケーブルを固定するケーブル固定装置に関して、特許文献１〜３に記載されたものが知られている。
【０００３】
特許文献１に記載の鋼索接続用クリップは、上部に逆Ｕ形状の鋼索下向係合部を設け、同係合部の直下に同係合部と対向するテーパー面が形成されたコッタ挿入部を設けて鋼索接続金具を形成し、かつ同金具の下端部に鋼索接続環を設け、上面に円弧状凹溝が形成されていると共に、下端面に、コッタ挿入部のテーパー面に符合するテーパー面が形成されたコッタを挿入して、鋼索を固定するものである。
【０００４】
特許文献２に記載のケーブルクランプは、アパーチャへ楔部材を収束面に沿って摺動させながら挿入することで、スロットが受けたケーブルがケーブル受け通路内で受けられてクランプされるものである。
【０００５】
特許文献３に記載のケーブル・クランプは、本体部材の収斂面に沿って楔部材が打ち込まれることで、本体部材上の面と楔部材の面とによってケーブルが挟み込まれるものである。
【先行技術文献】
【特許文献】
【０００６】
【特許文献１】実開昭５６−１４９１５４号公報
【特許文献２】特開昭５９−７７１４９号公報
【特許文献３】特開昭６１−２０１９５０号公報
【発明の概要】
【発明が解決しようとする課題】
【０００７】
特許文献１に記載の鋼索接続用クリップでは、鋼索を、逆Ｕ形状の面と円弧状凹溝によって挟み込んでいる。また、特許文献２に記載のケーブルクランプでは、ケーブルを円弧状凹溝同士で挟み込んでいる。更に、特許文献３では、一方が円弧状凹溝で、他方が波打つような凹凸面により挟み込まれる。
【０００８】
ケーブルの断面は略円形状であるため、ケーブルの太さと円弧状凹溝の直径とが合致すれば、ケーブルの周囲面全体を挟み込むようになるため大きな挟持力となると思われる。しかし、ケーブルの太さが円弧状凹溝の直径より細ければ、ケーブルを挟み込む一方側からの押圧方向と、他方側からの押圧方向の２方向でしかケーブルを押さえ付けることができない。
【０００９】
そのため、ケーブルが強く引っ張られると、この引張力にケーブル固定装置によるケーブルへの挟持力が負け、ケーブルがケーブル固定装置からずれてしまうおそれがある。
ケーブルの太さは、同じ仕様でもばらつきがある。また、異なる種類のケーブルでは太さも異なる。そのため、ケーブルに合わせてケーブル固定装置も、ケーブルを受ける円弧状凹溝の直径の異なるものを準備する必要がある。
【００１０】
そこで本発明は、ケーブルへの挟持力を高めることで、ケーブルの抜けを抑止することができるケーブル固定装置を提供することを目的とする。
【課題を解決するための手段】
【００１１】
本発明のケーブル固定装置は、ケーブルを受けるＶ字溝が前記ケーブルの配線方向に沿って形成された第１部分と、前記第１部分と対向し、前記ケーブルの配線方向に沿って、一方から他方に向かって、前記Ｖ字溝に接近する傾斜面が形成された第２部分と、前記配線方向の一方から他方に向かって、前記第１部分に向く面が平坦面に形成され、前記第２部分に向く面が傾斜面に形成され、前記第１部分と前記第２部分との間の空間に配置されて、前記ケーブルを前記第１部分との間で挟持する第３部分とを備えたことを特徴とする。
【００１２】
本発明のケーブル固定装置によれば、ケーブルが、第３部分の平坦面と第１部分のＶ字溝とにより挟持されることで、第３部分の平坦面からの押圧力と、Ｖ字溝の一対の溝壁からの押圧力とを受ける。従って、ケーブルは３方向から押圧力を受けることにより、ケーブルの太さが多少細くなったり太くなったりして、ケーブルがＶ字溝から大きくはみ出したり、または小さくはみ出したりしても、しっかりと、第３部分の平坦面と、Ｖ字溝の一対の溝壁とにより、ケーブルを挟持させることができる。
【００１３】
前記第３部分は、前記第１部分と前記第２部分との間の空間に挿入したときに、前記第１部分および前記第２部分から先端部が突出するように形成されていることが望ましい。
第３部分の先端部が、第１部分および第２部分から突出しているためハンマー等により打撃する際に、第１部分および第２部分の端部が邪魔にならない。
【００１４】
前記第３部分の先端には、前記第３部分を後退させる際に、前記第１部分と前記第２部分とによる開口部に引っ掛かる規制部が設けられていることが望ましい。
作業者が強く規制部を打撃して、第３部分を押し込んでも、規制部が第１部分と第２部分とによる開口部に引っ掛かるため、第３部分が反対側から飛び出してしまうことを防止することができる。
【００１５】
前記第１部分を有するケーブル受け部材と、前記第２部分を有する案内部材と、前記ケーブル受け部材と前記案内部材とを対向させた状態で内部に配置させた枠部材と、前記第３部分を構成する楔部材とを備えていることが望ましい。
本発明のケーブル固定装置が、ケーブル受け部材と、案内部材と、枠部材と、楔部材とを備えたものとすることで、ケーブル受け部材と案内部材とを枠部材の内部で対向させた状態で配置させることができ、ケーブル受け部材と案内部材との間に楔部材を配置することができる。
【発明の効果】
【００１６】
本発明のケーブル固定装置によれば、しっかりと、第３部分の平坦面と、Ｖ字溝の一対の溝壁とにより、ケーブルを挟持させることができるので、ケーブルへの挟持力を高めることで、ケーブルの抜けを抑止することができる。
【図面の簡単な説明】
【００１７】
【図１】本発明の実施の形態に係るケーブル固定装置を用いてコースケーブルをアンカーに接続した状態を示す図である。
【図２】図１に示すケーブル固定装置の側面図であり、ケーブルが固定されていない状態の図である。
【図３】図２に示すケーブル固定装置のＡ−Ａ線断面図である。
【図４】図１に示すケーブル固定装置の側面図であり、ケーブルが固定された状態の図である。
【図５】図４に示すケーブル固定装置のＢ−Ｂ線断面図である。
【発明を実施するための形態】
【００１８】
本発明の実施の形態に係るケーブル固定装置を図面にもとづいて説明する。
図１に示すケーブル固定装置１００は、ボート競技に使用されるボートコースや、カヌー競技に使用されるカヌーコースを区分するそれぞれのコースケーブルＷ１を緊張させる際に、アンカー１０からのケーブルＷ２と、コースケーブルＷ１に接続された中継ケーブルＷ３とを繋ぐためのものである。
【００１９】
ケーブルＷ２は、アンカー１０に一端が接続されたアンカーケーブルＷ２１と、ケーブル固定装置１００に一端が接続された延長ケーブルＷ２２とから構成されている。アンカーケーブルＷ２１の他端と、延長ケーブルＷ２２の他端とは、ダブルシャックル１１により連結されている。
コースケーブルＷ１は、中継ケーブルＷ３と、フロート１２から垂下する水深固定用ケーブルＷ４とに、連結具１３により連結されている。
【００２０】
連結具１３は、コースケーブルＷ１に連結されたダブルシャックル１３ａと、中継ケーブルＷ３に連結されたダブルシャックル１３ｂと、これらのダブルシャックル１３ａ，１３ｂを連結すると共に、水深固定用ケーブルＷ４が接続された連結リング１３ｃとから構成されている。
【００２１】
ここで、ケーブル固定装置１００の詳細について、図面にもとづいて説明する。
図２から図５に示すように、ケーブル固定装置１００は、ケーブル受け部材１１０と、案内部材１２０と、枠部材１３０と、楔部材１４０と、第１シャックル１５０と、第２シャックル１６０とを備えている。本実施の形態では、ケーブル受け部材１１０と、案内部材１２０と、枠部材１３０とにより、装置本体１０１が構成される。
【００２２】
ケーブル受け部材１１０は、長細の直方体状に形成されている。ケーブル受け部材１１０には、ケーブルＣ（延長ケーブルＷ２２）との対向する面に、ケーブルＣを受けるＶ字溝１１１がケーブルＣの配線方向Ｆ１に沿って形成された第１部分１１２を備えている。
Ｖ字溝１１１の開口幅および深さは、ケーブルＣを受けたときに、ケーブルＣがＶ字溝１１１から出て、楔部材１４０と接触するものであればよいが、ケーブルＣの半分以上が出ている方が望ましい。
ケーブル受け部材１１０の第１部分１１２と反対側となる面１１３は、ケーブルＣの配線方向Ｆ１と平行に形成されている。
ケーブル受け部材１１０には、枠部材１３０に固定するためのボルトを挿通させる貫通孔（図示せず）が、ケーブル受け部材１１０の短手方向Ｆ２に沿って貫通している。
【００２３】
案内部材１２０は、楔部材１４０の進行および後退を案内するものである。案内部材１２０は、ケーブル受け部材１１０とほぼ同じ長さに形成されている。
案内部材１２０は、第１部分１１２と対向し、ケーブルＣの配線方向Ｆ１に沿って、一方（コースケーブルＷ１側）から他方（アンカー１０側）に向かって、Ｖ字溝１１１に向かって徐々に接近する傾斜面１２１が形成された第２部分１２２を備えている。
案内部材１２０の第２部分１２２と反対側となる面１２３は、ケーブルＣの配線方向Ｆ１と平行に形成されている。
案内部材１２０には、枠部材１３０に固定するためのボルトを挿通させる貫通孔（図示せず）が案内部材１２０の短手方向Ｆ２に沿って貫通している。
【００２４】
枠部材１３０は、ケーブルＣの配線方向Ｆ１と直交する方向の断面が、矩形筒状に形成されている。枠部材１３０の幅（側壁１３１の内壁面同士の間隔）は、ケーブル受け部材１１０および案内部材１２０を収納できる間隔であれば、ケーブル受け部材１１０および案内部材１２０の側面と側壁１３１の内壁面との隙間が無い方が望ましい。
枠部材１３０は、ケーブル受け部材１１０と案内部材１２０とを対向させた状態で内部に配置させる。
枠部材１３０には、一方の側壁１３１にボルト（図示せず）を挿通させる貫通孔（図示せず）と、他方の側壁にケーブル受け部材１１０と案内部材１２０とのそれぞれを挿通したボルトが螺合する貫通孔（図示せず）とが形成されている。
このボルトにより、ケーブル受け部材１１０と案内部材１２０とが枠部材１３０に固定されている。
【００２５】
楔部材１４０は、ケーブルＣの配線方向Ｆ１と直交する方向の断面が、矩形状に形成されている。楔部材１４０の第３部分１４３は、ケーブルＣの配線方向Ｆ１の一方から他方に向かって徐々に細くなるように形成されている。これにより、第３部分１４３は、ケーブルＣの配線方向Ｆ１の一方から他方に向かって、第１部分１１２に向く面が平坦面１４１に形成され、第２部分１２２に向く面が傾斜面１４２に形成されている。
この第３部分１４３により、ケーブル受け部材１１０（第１部分１１２）と案内部材１２０（第２部分１２２）との間の空間Ｓ１に挿入されて、ケーブルＣを第１部分１１２との間で挟持する。
第３部分１４３の先端には、第３部分１４３を後退させる際に、ケーブル受け部材１１０および案内部材１２０による開口部Ｓ２に引っ掛かる規制部となるフック部１４４が設けられている。フック部１４４は、ケーブルＣから離れ、案内部材１２０へ向かう方向に延びるように、ケーブルＣの配線方向Ｆ１から直角に曲がるように形成されている。
このフック部１４４の配線方向Ｆ１と直交する方向の長さが、第３部分１４３の一方側（基端）の端面の幅と同じであれば、一本の金属製角材を基端から先端に向かって、徐々に深さを深くするように切削して、最後に、フック部１４４を残すことで、金属製角材から容易に楔部材１４０を作製することができる。
【００２６】
第１シャックル１５０は、ケーブル固定装置１００を中継ケーブルＷ３に連結するものである。第１シャックル１５０は、枠部材１３０の一方の端部に設けられている。第２シャックル１６０は、枠部材１３０の中央部に設けられている。第２シャックル１６０は、本実施の形態では、ケーブルを連結していない。
【００２７】
ケーブル固定装置１００が、ケーブル受け部材１１０と、案内部材１２０と、枠部材１３０と、楔部材１４０とを備えたものとすることで、ケーブル受け部材１１０と案内部材１２０とを枠部材１３０の内部で対向させた状態で配置させることができ、ケーブル受け部材１１０と案内部材１２０との間に楔部材１４０を配置することができる。
【００２８】
以上のように構成された本発明の実施の形態に係るケーブル固定装置１００の動作および使用状態を図面に基づいて説明する。
図２および図３では、ケーブルＣ（延長ケーブルＷ２２）がケーブル固定装置１００により固定されていない状態である。
図２および図３では、楔部材１４０が、装置本体１０１からケーブルＣの一方側に引かれた状態である。この状態では、案内部材１２０の傾斜面１２１に楔部材１４０の傾斜面１４２が接し、楔部材１４０の厚みが細い部分が案内部材１２０に載っている。従って、ケーブル受け部材１１０のＶ字溝１１１と、楔部材１４０の平坦面１４１との間には余裕があり、ケーブルＣは配線方向Ｆ１の一方側または他方側に移動可能である。
【００２９】
作業者がハンマー等により、楔部材１４０の一方側の端面１４５を打撃するなどする。この打撃により、楔部材１４０は、案内部材１２０の傾斜面１２１に案内され、摺動しながら装置本体１０１内を他方側に向かって進行する。
図４および図５に示すように、楔部材１４０が他方側に進行すると、案内部材１２０の傾斜面１２１上には、徐々に、楔部材１４０の厚み（太さ）の細い部分から太くなる部分が位置する。
これにより、楔部材１４０の平坦面１４１と、ケーブル受け部材１１０の第１部分１１２（Ｖ字溝１１１）との間隔が徐々に狭くなることで、楔部材１４０の第３部分１４３に形成された平坦面１４１と、ケーブル受け部材１１０の第１部分１１２に形成されたＶ字溝１１１との間で、ケーブルＣが押圧され挟持される。
【００３０】
ケーブルＣは、楔部材１４０とケーブル受け部材１１０とにより挟持されることで、楔部材１４０の平坦面１４１からの押圧力と、Ｖ字溝１１１の一対の溝壁１１１ａ，１１１ｂからの押圧力とを受ける。
従って、ケーブルＣは３方向から押圧力を受けることにより、ケーブルＣの太さが多少細くなったり太くなったりして、ケーブルＣがＶ字溝１１１から大きくはみ出したり、または小さくはみ出したりしても、楔部材１４０の平坦面１４１と、Ｖ字溝１１１の一対の溝壁１１１ａ，１１１ｂとにより、しっかりと、ケーブルＣを挟持させることができる。よって、ケーブル固定装置１００は、ケーブルＣへの挟持力を高めることで、ケーブルの抜けを抑止することができる。
【００３１】
ケーブルＣがケーブル固定装置１００に固定された状態から、ケーブルＣをケーブル固定装置１００から引き抜いたり、ケーブルＣの固定位置を移動させたりする場合に、楔部材１４０の先端部に位置するフック部１４４をハンマー等により打撃する。
楔部材１４０は、装置本体１０１から突出しているためハンマー等により打撃する際に、装置本体１０１の端部が邪魔にならない。
【００３２】
フック部１４４をハンマー等により打撃することで、楔部材１４０は、進行したときと反対方向に、装置本体１０１内を後退する。そして、楔部材１４０は、図２および図３に示す初期の状態に復帰することで、ケーブル受け部材１１０のＶ字溝１１１と、楔部材１４０の平坦面１４１との間には余裕ができ、ケーブルＣへの固定が解除される。
フック部１４４は、ケーブル受け部材１１０（第１部分１１２）と案内部材１２０（第２部分１２２）とによる開口部Ｓ２より、第３部分１４３の先端から大きく突出しているため、この開口部Ｓ２に引っ掛かる。
【００３３】
従って、作業者が強くフック部１４４を打撃して、楔部材１４０を押し込んでも、楔部材１４０が装置本体１０１の反対側から飛び出してしまうことを防止することができる。
また、フック部１４４が第３部分１４３の先端より面積が広く形成されているため、作業者がハンマーなどで打撃するときに、打撃が容易である。
【００３４】
本実施の形態では、ケーブル固定装置１００が固定する延長ケーブルＷ２２（ケーブルＣ）の位置を調整することで、コースケーブルＷ１が連結する連結具１３からアンカー１０までのケーブル（中継ケーブルＷ３，延長ケーブルＷ２２，アンカーケーブルＷ２１）の長さを調整しているが、第２シャックル１６０に他のケーブルを連結してもよい。
また、壁面や他の構造物にケーブル固定装置１００を固定して、ケーブル固定装置１００によりケーブルを固定すれば、ケーブルを壁面や他の構造物に、ケーブル固定装置１００を介して接続することができる。
【産業上の利用可能性】
【００３５】
本発明のケーブル固定装置は、ケーブル同士を接続してケーブルの延長やケーブル長の調整に使用したり、ケーブルを他のものに接続して固定するために使用したりする際に好適である。
【符号の説明】
【００３６】
１００  ケーブル固定装置
１０１  装置本体
１１０  ケーブル受け部材
１１１  Ｖ字溝
１１１ａ，１１１ｂ  溝壁
１１２  第１部分
１１３  面
１２０  案内部材
１２１  傾斜面
１２２  第２部分
１２３  面
１３０  枠部材
１３１  側壁
１４０  楔部材
１４１  平坦面
１４２  傾斜面
１４３  第３部分
１４４  フック部
１４５  端面
１５０  第１シャックル
１６０  第２シャックル
１０  アンカー
１１  ダブルシャックル
１２  フロート
１３  連結具
１３ａ，１３ｂ  ダブルシャックル
１３ｃ  連結リング
Ｃ  ケーブル
Ｗ１  コースケーブル
Ｗ２  ケーブル
Ｗ２１  アンカーケーブル
Ｗ２２  延長ケーブル
Ｗ３  中継ケーブル
Ｗ４  水深固定用ケーブル
Ｆ１  配線方向
Ｆ２  短手方向
Ｓ１  空間
Ｓ２  開口部
【図１】
0006358622.tif 000002
【図２】
0006358622.tif 000003
【図３】
0006358622.tif 000004
【図４】
0006358622.tif 000005
【図５】
0006358622.tif 000006